(57)【特許請求の範囲】
【請求項１】
画像データを画像形成する画像形成部を含む画像形成装置の動作状態を通常モードと省電力モードとの間で切換制御する省電力制御部と、
この省電力制御部の異常動作状態を検出する検出部と、
前記装置の動作状態を表示するとともに前記装置に対する操作入力を受け付ける表示操作部と、
この表示操作部を少なくとも表示制御する表示操作制御部と、
前記省電力制御部の切換制御に基づき、前記通常モードにおいて前記表示操作部および前記表示操作制御部に電源を供給するとともに省電力モードにおいて前記電源の供給を遮断する表示操作用電源部と、
前記省電力制御部によって切換制御され、前記装置内において、前記通常モードおよび前記省電力モードを切換制御する構成部にシステム制御用電源を供給するとともに、前記省電力モードにおいて前記システム制御用電源の供給を遮断するシステム制御用電源部と、
を具備し、
前記省電力モード状態において前記検出部が前記省電力制御部の異常動作状態を検出したとき、前記システム制御用電源部は、前記省電力モード状態から前記通常モード状態に前記システム制御用電源を復帰制御し、前記表示操作用電源部は、前記表示操作部および前記表示操作制御部に前記電源を供給し、前記表示操作制御部は、前記表示操作用電源部からの前記電源の供給によって起動したとき前記検出部の検出により、省電力モード状態において前記省電力制御部の異常が発生した旨および前記省電力制御部を前記省電力モードから前記通常モードに切換えるか否かの選択画面を前記表示操作部に表示制御し、前記表示操作部が前記通常モードへの切換操作入力を受け付けたとき、前記省電力制御部を前記省電力モードから通常モードに復帰制御することを特徴とする画像形成装置。
【発明の詳細な説明】
【技術分野】
【０００１】
本発明は画像形成装置に係り、例えば電子写真方式の複写機、ファクシミリ機、プリンタ又はこれらの機能を搭載した複合機（ＭＦＰ：Multi Function Peripheral）等の画像形成装置の改良に関する。
【背景技術】
【０００２】
この種の画像形成装置にあっては、一般に、原稿上の画像情報から画像データを光学的に読み取り、その画像データに基づきトナー像を形成して用紙に転写定着させて印刷する印刷（印字）機能の他、画像データをファクシミリ送受信するファクシミリ機能、その他種々の画像データ処理機能を有しており、ＣＰＵ（central processing unit）を有する複数の制御部によってそれらの機能を実行している。
【０００３】
さらに、画像形成装置では、省エネルギー（省エネ）仕様を目的として、起動に必要な構成にのみ電源を供給し、その他の構成には電源供給を遮断して電源電力の消費を低減する省電力モード機能を搭載し、一定期間操作入力がないとき、その省電力モードに移行し、何らかの操作指示によって通常モードに戻すようになっており、ＣＰＵを有する省電力制御部によって省電力モードと通常モード間の移行制御を実行している。
【０００４】
従来の画像形成装置では、１個の省電力制御部のＣＰＵが装置全体の電源を管理し、一定期間操作入力がないとき電源供給を遮断する一方、予め設定された特定キーの操作や外部からの画像データ受信等の復帰要件に応じて、同じ省電力制御部が装置全体への電源供給を復帰する機能を具備させているが、省電力モードから通常モードへの確実な復帰動作を確保する観点から、ノイズ等に起因するＣＰＵの誤動作を防止するための工夫が求められている。
【０００５】
そして、ＣＰＵ等の異常動作に対する対策として、例えば特開２００６−２０９５３３号公報（特許文献１）のような装置の復旧方法がある。
【０００６】
この特許文献１は、メインＣＰＵ、サブＣＰＵおよび周辺ＩＯから構成される装置において、そのサブＣＰＵから周辺ＩＯに出力して起動させるリセット信号のうち、メインＣＰＵからの指示以外で送出されるリセット信号を監視して検出し、そのメインＣＰＵがリセット信号を検出したときサブＣＰＵを再起動させる構成を有し、外部ノイズやハードウェア異常等によりサブＣＰＵがリセット信号を周辺ＩＯに送出し、即座に当該異常検出してサブＣＰＵや周辺ＩＯを自動的に再初期化設定し、迅速な復旧を図れるようにしたものである。
【先行技術文献】
【特許文献】
【０００７】
【特許文献１】特開２００６−２０９５３３号公報
【発明の開示】
【発明が解決しようとする課題】
【０００８】
しかしながら、通常モードから省電力モードへの切換機能を有する電子機器、例えば画像形成装置では、省電力モードに移行した状況下において、通常モードと省電力モード間の切換制御を担う省電力制御用ＣＰＵが誤動作を起こした場合、ユーザがそれを知らず放置し易く、以降に続く処理が滞りがちになり易い。上述した特許文献１によってもその解決が困難である。
【０００９】
本発明はそのような課題を解決するためになされたもので、省電力制御用ＣＰＵの誤動作等が生じたとき、この状態を放置させ難く、外部に表示することが容易で復帰操作もさせ易い画像形成装置の提供を目的とする。
【課題を解決するための手段】
【００１０】
そのような課題を解決するために本発明の請求項１に係る画像形成装置は、画像データを画像形成する画像形成部を含む画像形成装置の動作状態を通常モードと省電力モードとの間で切換制御する省電力制御部と、この省電力制御部の異常動作状態を検出する検出部と、その装置の動作状態を表示するとともにその装置に対する操作入力を受け付ける表示操作部と、この表示操作部を少なくとも表示制御する表示操作制御部と、その省電力制御部の切換制御に基づき、その通常モードにおいてそれら表示操作部および表示操作制御部に電源を供給するとともに省電力モードにおいてその電源の供給を遮断する表示操作用電源部と、その省電力制御部によって切換制御され、当該装置内において、それら通常モードおよび省電力モードを切換制御する構成部にシステム制御用電源を供給するとともに、省電力モードにおいてシステム制御用電源の供給を遮断するシステム制御用電源部と、を具備している。
【００１１】
しかも、その省電力モード状態において上記検出部が省電力制御部の異常動作状態を検出したとき、そのシステム制御用電源部は、その省電力モード状態から通常モード状態にシステム制御用電源の供給を復帰制御し、その表示操作用電源部は、それら表示操作部および表示操作制御部に電源を供給し、上記表示操作制御部は、その表示操作用電源部からの電源の供給によって起動したときその検出部の検出により、省電力モード状態において省電力制御部の異常が発生した旨および省電力制御部を省電力モードから通常モードに切換えるか否かの選択画面を表示操作部に表示制御し、その表示操作部が通常モードへの切換操作入力を受け付けたとき、その省電力制御部を省電力モードから通常モードに復帰制御することを特徴としている。
【００１２】
【００１３】
【００１４】
【発明の効果】
【００１５】
このような本発明の請求項１に係る画像形成装置では、その省電力モード状態において上記検出部が省電力制御部の異常動作状態を検出したとき、それら表示操作部および表示操作制御部にその表示操作用電源部が電源を供給するとともに、省電力モード状態において省電力制御部の異常が発生した旨を上記表示操作制御部が表示操作部に表示制御するから、省電力制御用ＣＰＵの誤動作等が生じたとき、この状態を放置させず、ユーザへエラーを通知することが容易で復帰操作させ易い。
【００１６】
本発明の請求項１に係る画像形成装置では、上記表示操作部が通常モードへの切換操作入力を受け付けたとき、上記省電力制御部を省電力モードから通常モードに復帰制御するから、ユーザの任意の判断によって省電力制御部を通常モードに強制復帰させることが可能である。
【００１７】
本発明の請求項１に係る画像形成装置では、上記検出部が省電力制御部の異常動作状態を検出したとき、そのシステム制御用電源部がそれら表示操作部および表示操作制御部以外のシステム制御用に電源を供給するから、装置本体について省電力モード状態から通常モードに復帰させ易い。
【図面の簡単な説明】
【００１８】
【図１】本発明に係る画像形成装置の実施の形態を示す概略ブロック図である。
【図２】本発明に係る画像形成装置の動作を説明する波形図である。
【図３】図１に示す表示操作部を説明する図である。
【図４】本発明に係る画像形成装置の実施の形態を示す概略ブロック図である。
【発明を実施するための最良の形態】
【００１９】
以下、本発明に係る画像形成装置の実施の形態をこれに搭載した省エネ電源制御装置を含めて図面を参照して説明する。
【００２０】
本発明に係る画像形成装置における省エネ電源制御装置Ａの実施の一形態を示す概略ブロック図である図１において、省エネ電源制御装置Ａは、電源制御部１および操作パネル部３を有して構成されている。
【００２１】
電源制御部１は、省電力制御部５、検出部７およびシステム制御用電源部９を有して構成されており、操作パネル部３は、表示操作用電源部１１、表示操作制御部１３および表示操作部１５を有して構成されている。
【００２２】
省電力制御部５は、省電力制御用ＣＰＵ（図示せず。）を主体に形成されて検出部７に接続されており、後述する画像形成装置Ｂに搭載された電源部３３から、省電力モードおよび通常モードにかかわらず供給される省エネ電源を常時受けて動作し、以下の機能を有している。
【００２３】
ここで、省電力モードは、例えば、当該装置において起動に必要な構成にのみ電源を供給し、その他の構成への電源供給を遮断して電源電力の消費を低減する省エネルギー動作モードであり、通常モードは当該装置の全ての構成に電源を供給する動作モードである。
【００２４】
省電力制御部５は、例えば画像形成装置Ｂにおいて一定期間操作入力がないとき、システム制御用電源部９および表示操作用電源部１１の動作を停止し省電力モードに移行し、何らかの操作指示によって通常モードに戻すとき、システム制御用電源部９および表示操作用電源部１１を動作させる遮断信号Ｓ１を検出部７に出力するようになっている。
【００２５】
遮断信号Ｓ１は、システム制御用電源部９および表示操作用電源部１１の動作停止時にＬレベルで出力されシステム制御用電源部９および表示操作用電源部１１の動作時にＨレベルで出力される。
【００２６】
省電力制御部５は、この動作状態を常時自己監視し、正常動作状態をプログラム的に監視するウォッチドックタイマ機能を有しており、正常動作状態下でウォッチドックパルス信号Ｓ２を検出部７に出力するようになっている。ウォッチドックパルス信号Ｓ２が出力されない場合、省電力制御用ＣＰＵでは動作暴走等の不具合が発生していることになる。
【００２７】
省電力制御部５において、正常動作状態を意味するパルス信号を出力させる構成は、ウォッチドックタイマ機能による構成以外にも、所定の自己診断プログラムによって実施可能である。
【００２８】
検出部７は、ノコギリ波生成部１７、２入力の第１、第２のＯＲ回路１９、２１および波形成形部２３を有して形成されており、操作パネル部３およびシステム制御用電源部９に接続されている。
【００２９】
ノコギリ波生成部１７は、省エネ電源によって動作し、省電力制御部５からのウォッチドックパルス信号Ｓ２をノコギリ波に生成する機能を有し、抵抗ＲおよびコンデンサＣからなる波形成形部２３を介して第１、第２のＯＲ回路１９、２１の一方の入力端子と、操作パネル部３の表示操作制御部１３に接続されている。
【００３０】
波形成形部２３は、一端を省エネ電源に接続された抵抗Ｒと、この抵抗Ｒの他端とアースの間に接続されたコンデンサＣとを有し、抵抗ＲとコンデンサＣとの接続点Ｐを第１、第２のＯＲ回路１９、２１の一方の入力端子および表示操作制御部１３に接続している。
【００３１】
波形成形部２３は、ノコギリ波生成部１７からのウォッチドックパルス信号Ｓ２に基づくノコギリ波が出力されたとき、コンデンサＣの充放電動作によって抵抗ＲとコンデンサＣの接続点Ｐの電圧をＬレベルにする一方、ノコギリ波が出力されないとき、省エネ電源がコンデンサＣに充電され続け、抵抗ＲとコンデンサＣの接続点の電圧をＨレベルにする機能を有している。
【００３２】
そのため、波形成形部２３は、ウォッチドックパルス信号Ｓ２の有無を介した抵抗ＲとコンデンサＣの接続点Ｐの電圧レベル変動により、省電力制御部５の異常動作状態を検出する機能を有している。
【００３３】
図２は波形成形部２３の出力、すなわち抵抗ＲとコンデンサＣの接続点Ｐの電圧レベルを示している。なお、図２中のノコギリ波は誇張して図示されており、実際はＬレベル領域のものである。
【００３４】
第１、第２のＯＲ回路１９、２１は、他方の入力端子に省電力制御部５から遮断信号Ｓ１が接続されており、２入力双方がＬレベルであれば出力がＬレベルに、２入力のどちらかＬレベルでなければ出力がＨレベルになり、第１のＯＲ回路１９の出力が表示操作用電源部１１の制御端子（ＥＮ端子）に加えられ、第２のＯＲ回路２１の出力がシステム制御用電源部９の制御端子（ＥＮ端子）に加えられるようになっている。
【００３５】
表示操作用電源部１１およびシステム制御用電源部９は、制御端子（ＥＮ端子）にＨレベル（正論理）の制御信号が入力されたときアクティブになって動作し、Ｌレベルの制御信号が入力されたとき動作を停止させるようになっている。
【００３６】
操作パネル部３の表示操作用電源部１１は、省電力モード状態において検出部７が省電力制御部５の異常動作状態を検出したとき、すなわち、制御端子（ＥＮ端子）にＨレベルの制御信号が入力されたとき、例えば２４Ｖの直流電源および５Ｖの直流電源を生成し、操作パネル電源として表示操作制御部１３および表示操作部１５その他に出力する機能を有している。
【００３７】
表示操作制御部１３は、表示操作部１５における当該装置の動作状態を表示制御するとともに、表示操作部１５に対する操作入力が受け付けられたとき、操作入力を主制御部２５に出力する機能を有している。
【００３８】
表示操作制御部１３は、省電力モード状態において検出部７が省電力制御部５の異常動作状態を検出したとき、すなわち、波形成形部２３の出力がＨレベルになると、省電力モード状態において省電力制御部５に異常が発生した旨を表示操作部１５に表示制御する機能を有している。異常が発生した旨の表示については後述する。
【００３９】
表示操作制御部１３は、省電力制御部５にも接続されており、表示操作部１５が省電力制御部５の再起動指示の操作入力を受け付けたとき、省電力制御部５を異常動作状態から復帰制御するためのリセット信号Ｓ３を省電力制御部５に出力する機能を有している。
【００４０】
従って、省電力制御部５は、そのリセット信号Ｓ３に基づき省電力モードから通常モードに強制的に復帰制御する機能を有している。
【００４１】
表示操作部１５は、図示しない本体ケースの上部に配置され、種々の動作状態の表示が可能な表示部としての公知の液晶表示パネルと、画像形成装置Ｂの動作指示を受付けるタッチスイッチ等の入力部としての機能を有している。
【００４２】
表示操作部１５は、搭載される機器が画像形成装置Ｂであれば、例えば図３に示すように、印刷（コピー）処理、プリンタ処理、スキャナ処理、ファクシミリ送受信処理等の種々の操作指示や選択をする選択キー１５ａの他、それらの操作に係る設定項目の設定変更を入力する公知の例えばテンキー１５ｂ、スタートキー１５ｃ、ストップキー１５ｄの他、装置の動作状況を表示する表示パネル部１５ｅ等を有する。
【００４３】
表示パネル部１５ｅ上には透過性を有するタッチスイッチ形の入力部としてのタッチパネル部１５ｆが重ねられている。
【００４４】
図３中の表示パネル部１５ｅにおける表示「省電力動作に不具合があります。省電力モードから通常モードに切換えますか。」は、省電力制御部５に異常が発生した旨の表示である。
【００４５】
表示パネル部１５ｅには、省電力モードから通常モードへ切り換えるか否かを選択する「はい」「いいえ」の入力キー１５ｇ、１５ｈ（選択画面）が配置されている。
【００４６】
「はい」の入力キー１５ｇによって省電力モードから通常モードへ切り換えるリセット信号Ｓ３が、表示操作制御部１３から省電力制御部５に出力されるようになっている。
【００４７】
図１に戻って、システム制御用電源部９は、例えば２４Ｖの直流電源をそのまま、又は１２Ｖや５Ｖの直流電源に生成して出力するＤＣ−ＤＣコンバータである。
【００４８】
システム制御用電源部９は、生成した直流電源を表示操作制御部１３および表示操作部１５以外のシステム制御用電源をシステム構成部、例えば画像形成装置Ｂ内において省電力モードとを通常モードとを切換制御する構成部に供給し、省電力モードにおいて電源供給を遮断するとともに、省電力モード状態において検出部７が省電力制御部５の異常動作状態を検出したとき、すなわち、制御端子（ＥＮ端子）にＨレベルの制御信号が入力されたとき、システム制御用電源を出力する機能を有している。
【００４９】
次に、上述した本発明に係る画像形成装置における省エネ電源制御装置Ａの動作を簡単に説明する。
【００５０】
通常モードの下、表示操作用電源部１１が表示操作制御部１３および表示操作部１５に、システム制御用電源部９がシステム構成部にシステム制御用電源を供給している状態において、例えば一定期間操作入力がないと、省電力制御部５が遮断信号Ｓ１をＬレベルにする一方、省電力制御部５から出力されたウォッチドックパルス信号Ｓ２によって検出部７の出力はＬレベルになっている。
【００５１】
これにより、第１、第２のＯＲ回路１９、２１の出力がＬレベルとなり、表示操作用電源部１１およびシステム制御用電源部９の動作が停止され、省電力モードに移る。
【００５２】
そして、所定の操作入力があると、省電力制御部５が遮断信号Ｓ１をＨレベルにする一方、省電力制御部５から出力されたウォッチドックパルス信号Ｓ２によって検出部７の出力がＬレベルのまま継続される。
【００５３】
これにより、第１、第２のＯＲ回路１９、２１の出力がＨレベルとなり、表示操作用電源部１１およびシステム制御用電源部９が起動して電源を供給して通常モードに移る。
【００５４】
この省電力モード状態において、例えば外来ノイズ等に起因して省電力制御部５のＣＰＵが暴走すると、ウォッチドックパルス信号Ｓ２のパルス出力が停止される。
【００５５】
そのため、検出部７の出力（接続点Ｐ）がＨレベルに変化する（図２参照））、このため省電力制御部５からの遮断信号Ｓ１の信号レベルにかかわらず第１、第２のＯＲ回路１９、２１の出力がＨレベルとなり、表示操作用電源部１１およびシステム制御用電源部９が起動して電源を供給する。
【００５６】
また、表示操作用電源部１１の起動にともない、表示操作制御部１３が起動したとき、検出部７の出力（接続点Ｐ）の信号レベルがＨとなっていることを検出し、省電力制御部５の異常による起動であると認識し、表示操作部１５が例えば図３に示すように、表示パネル部１５ｅに「省電力動作に不具合があります。省電力モードから通常モードに切換えますか。」と表示する。
【００５７】
これを見たユーザが、「はい」の入力キー１５ｇをタッチ操作すれば、表示操作制御部１３がリセット信号Ｓ３を省電力制御部５へ出力し、省電力制御部５がリセットされて復帰制御し、通常モードに復帰する。
【００５８】
次に、上述した省エネ電源制御装置Ａを搭載した本発明の画像形成装置Ｂを図４を参照して説明する。
【００５９】
図４において、画像形成装置Ｂは、主制御部２５を中心にして画像取込部２７、記憶部２９、上述した操作パネル部３および印刷部３１を有し、例えば複合機を構成している。なお、画像形成装置Ｂとしてはこれ以外にも種々の構成を有するが、本発明の要部ではないので説明および図示を省略する。
【００６０】
それら主制御部２５、画像取込部２７、記憶部２９、操作パネル部３および印刷部３１に対し、上述した電源部３３から直流電源又は交流電源が供給される。
【００６１】
主制御部２５は、画像取込部２７、記憶部２９、操作パネル部３および印刷部３１を制御するものであるが、詳細は後述する。
【００６２】
画像取込部２７は、図示しない本体ケースの上部に配置され、主制御部２５の制御の下、原稿画像の表示された原稿用紙から当該紙面の画像状態を光学的に読み込み、フィルタ処理等をして電子的画像データを生成する公知のスキャナー等であり、生成した紙面画像データが原稿の頁毎に記憶部２９に順次記憶されるようになっている。
【００６３】
記憶部２９は、画像取込部２７からの画像データ、主制御部２５の動作プログラムおよび動作画面等を格納する読み書き可能な例えばハードディスク（ＨＤＤ）である。
【００６４】
操作パネル部３は、本体ケースの上部に配置され、上述した構成を有し、主制御部２５を介して表示操作制御部１３によって制御される。
【００６５】
印刷部３１は、本体ケース内に配置され、用紙のセットされる給紙段と、この給紙段から給紙し搬送された用紙に対し、上述した画像データを展開した印刷イメージデータに基づきトナー剤でトナー像を画像形成する画像形成部と、そのトナー像を用紙に転写定着させる転写定着部等を有し、モノクロ印刷又はカラー印刷排紙する機能を有している。
【００６６】
主制御部２５は、メインＣＰＵ、このＣＰＵの起動プログラムを格納したメモリ部、入出力インターフェース（いずれも図示せず。）を有し、上述した画像取込部２７、記憶部２９、操作パネル部３および印刷部３１を制御するとともにその一部を担っている。
【００６７】
電源部３３は、１００Ｖの商用交流電源から２４Ｖの直流電源を生成する公知の例えばスイッチングレギュレータであり、それら交流電源および直流電源を出力するものである。
【００６８】
このような本発明に係る画像形成装置は、当該画像形成装置Ｂの動作状態を通常モードと省電力モードとの間で切換制御する省電力制御部５と、この省電力制御部５の異常動作状態を検出する検出部７と、その装置の動作状態を表示するとともに、その装置Ｂに対する操作入力を受け付ける表示操作部１５と、この表示操作部１５を表示制御する表示操作制御部１３と、その省電力制御部５の切換制御に基づき、その通常モードにおいて表示操作部１５および表示操作制御部１３に電源を供給するとともに、省電力モードにおいて電源供給を遮断する表示操作用電源部１１と、を具備している。
【００６９】
しかも、その表示操作用電源部１１は、その省電力モード状態において検出部７が省電力制御部５の異常動作状態を検出したとき、それら表示操作部１５および表示操作制御部１３に電源を供給し、その表示操作制御部１３は、省電力モード状態において省電力制御部５の異常が発生した旨を表示操作部１５に表示制御するとともに、省電力制御部５を省電力モードから通常モードに切換えるか否かの選択画面を表示操作部１５に表示制御し、表示操作部１５が通常モードへの切換操作入力を受け付けたとき、省電力制御部５を省電力モードから通常モードに復帰制御する構成となっている。
【００７０】
そのため、省電力制御用ＣＰＵに誤動作等が生じたとき、エラーを表示させるから、省電力モード状態における動作不具合を放置させ難く、その表示を見たユーザによって通常モードに強制復帰させることが可能である。
【００７１】
また、検出部７が省電力制御部５の異常動作状態を検出したとき、そのシステム制御用電源部９が省電力モード状態から通常モードに復帰制御するから、画像形成装置Ｂを省電力モード状態から通常モードに復帰させ易い。
【００７２】
また、本発明に係る省エネ電源制御装置において、表示操作部１５に表示する省電力制御部５の異常が発生した旨の情報は、上述した図３に示した文言に限定されず、この種の文言であれば任意であるし、省電力制御部５を省電力モードから通常モードに切り換えるか否かの操作入力を受け付ける選択画面も、同図の表示画面に限定されず任意の画面で実施可能である。
【００７３】
ところで、本発明に係る画像形成装置Ｂは、複写機、ファクシミリ機、複合機等において実施可能であり、上述した本発明の省エネ電源制御装置Ａを搭載すれば、同様の効果を得ることが可能である。
【００７４】
また、本発明に係る省エネ電源制御装置は、上述した複写機、ファクシミリ機、複合機等の画像形成装置の他、種々の電子機器例えばコンピュータ（パソコン）、携帯電話機その他広く実施可能である。
【符号の説明】
【００７５】
１  電源制御部
３  操作パネル部
５  省電力制御部
７  検出部
９  システム制御用電源部
１１  表示操作用電源部
１３  表示操作制御部
１５  表示操作部
１５ａ  選択キー
１５ｂ  テンキー
１５ｃ  スタートキー
１５ｄ  ストップキー
１５ｅ  表示パネル部
１５ｆ  タッチパネル部
１５ｇ、１５ｈ  入力キー
１７  ノコギリ波生成部
１９  第１のＯＲ回路
２１  第２のＯＲ回路
２３  波形成形部
２５  主制御部
２７  画像取込部
２９  記憶部
３１  印刷部
３３  電源部
Ａ  省エネ電源制御装置
Ｂ  画像形成装置
Ｃ  コンデンサ
Ｒ  抵抗
Ｓ１  遮断信号
Ｓ２  ウォッチドックパルス信号
Ｓ３  リセット信号
【図１】
0005394352.tif 000002
【図２】
0005394352.tif 000003
【図３】
0005394352.tif 000004
【図４】
0005394352.tif 000005